(57)【要約】      （修正有）【課題】パイロットパターン相関計算回路において、オフセット周波数が高い場合にも大きな相関値を得ること。【解決手段】周波数オフセットに応じた制御パターンに基づいて、パイロットパターンの値をシンボル毎に反転または保持する、パイロットパターン変換工程と、前記変換されたパイロットパターンとスクランブルコードの排他的論理和を求め、リファレンス信号を生成する、リファレンス信号生成工程と、前記リファレンス信号と受信信号の相関値を累積計算する、相関計算工程と、を含む波数オフセットに応じた制御パターンに基づいて、パイロットパターンをシンボル毎に反転または保持する。【選択図】図１
2008167350.tif 000002
【特許請求の範囲】
【請求項１】
周波数オフセットに応じた制御パターンに基づいて、パイロットパターンの値をシンボル毎に反転または保持する、パイロットパターン変換工程と、
前記変換されたパイロットパターンとスクランブルコードの排他的論理和を求め、リファレンス信号を生成する、リファレンス信号生成工程と、
前記リファレンス信号と受信信号の相関値を累積計算する、相関計算工程と、
を含むことを特徴とする、パイロットパターン相関計算方法。
【請求項２】
パイロットパターンと周波数オフセットに応じた制御パターンを入力し、前記パイロットパターンの値をシンボル毎に反転または保持し、変換されたパイロットパターンを出力するパイロットパターン変換部と、
前記変換されたパイロットパターンとスクランブルコードを入力し、前記パイロットパターンと前記スクランブルコードの排他的論理和を計算し、リファレンス信号として出力するエクスクルーシブＯＲ回路と、
前記リファレンス信号と受信信号を入力し、前記リファレンス信号と前記受信信号の相関値を累積計算して出力する相関計算部と、
を備えたことを特徴とする、パイロットパターン相関計算回路。
【請求項３】
前記パイロットパターン変換部が、前記制御パターンを１ビットずつ入力して保持するフリップフロップを複数備えたフリップフロップ群と、
前記パイロットパターンのシンボル位置に応じて、前記フリップフリップ群のいずれかのフリップフロップから前記制御パターンのいずれかのビットを読み出すセレクタと、
前記パイロットパターンと前記ビットを入力し、排他的論理和を求め、変換されたパイロットパターンを出力するエクスクルーシブＯＲ回路と、
を備えたことを特徴とする、請求項２に記載のパイロットパターン相関計算回路。
【発明の詳細な説明】
【技術分野】
【０００１】
本発明は、パイロットパターン相関計算回路に関し、特に、移動体通信におけるパスサーチに使用するパイロットパターン相関計算回路に関する。
【背景技術】
【０００２】
Ｗ−ＣＤＭＡ方式に基づく移動体通信の基地局装置は、パスサーチのためにパイロットパターン相関計算回路を使用する。従来技術によるパイロットパターン相関計算回路の構成を図１０に示す。パイロットパターン相関計算回路は、受信信号とリファレンス信号（パイロットパターンとスクランブルコードを掛け合わせた信号）間の相関値を計算し、さらに、信号対ノイズ比を改善するため、各信号点の相関値を、パイロットパターンの複数シンボルに渡って累積計算する。
【０００３】
従来のパイロットパターン相関計算回路の動作について、図１０を参照して説明する。スクランブルコード生成部１０３はスクランブルコードを出力し、パイロットパターン生成部１０２はパイロットパターンを出力する。エクスクルーシブＯＲ回路１０４はスクランブルコードとパイロットパターンを入力し、リファレンス信号を出力する。相関計算部１０５は、受信信号とリファレンス信号を入力し、相関値を累積計算して出力する。
【０００４】
なお、信号対ノイズ比を向上させる技術として、特許文献１において受信信号を同相加算する技術が開示され、特許文献２においてパイロットシンボルを重み付きで同相加算する技術が開示されている。
【０００５】
【特許文献１】特開２００３−３３３０１１号公報
【特許文献２】特開２００３−２９８５４７号公報
【発明の開示】
【発明が解決しようとする課題】
【０００６】
しかしながら、受信信号の位相は、図５に示すように、オフセット周波数で回転している。このため、相関値の位相も、図６に示すように回転しており、これらを累積すると、得られる相関値は、図７に示すように小さくなってしまう。
【０００７】
その結果、従来のパイロットパターン相関計算回路のオフセット周波数特性は、図３の制御パターン＃０で示すような特性となっている。したがって、オフセット周波数が高くなるにしたがって得られる相関値が小さくなり、高いオフセット周波数で使用できないという問題があった。
【０００８】
すなわち、移動体通信において、基地局と高速で移動する端末との間で、オフセット周波数が高くなるケースには、従来の技術では通信ができないという問題があった。
【０００９】
したがって、パイロットパターン相関計算回路のオフセット周波数を可変とし、従来よりも高いオフセット周波数まで対応することができるようにすることが課題となる。
【課題を解決するための手段】
【００１０】
本発明の第１の視点に係るパイロットパターン相関計算方法は、周波数オフセットに応じた制御パターンに基づいて、パイロットパターンの値をシンボル毎に反転または保持する、パイロットパターン変換工程と、前記変換されたパイロットパターンとスクランブルコードの排他的論理和を求め、リファレンス信号を生成する、リファレンス信号生成工程と、前記リファレンス信号と受信信号の相関値を累積計算する、相関計算工程と、を含むことを特徴とする。
【００１１】
本発明の第２の視点に係るパイロットパターン相関計算回路は、パイロットパターンと周波数オフセットに応じた制御パターンを入力し、前記パイロットパターンの値をシンボル毎に反転または保持し、変換されたパイロットパターンを出力するパイロットパターン変換部と、前記変換されたパイロットパターンとスクランブルコードを入力し、前記パイロットパターンと前記スクランブルコードの排他的論理和を計算し、リファレンス信号として出力するエクスクルーシブＯＲ回路と、前記リファレンス信号と受信信号を入力し、前記リファレンス信号と前記受信信号の相関値を累積計算して出力する相関計算部と、を備えたことを特徴とする。
【００１２】
第１の展開形態のパイロットパターン相関計算回路は、上記第２の視点において、前記パイロットパターン変換部が、前記制御パターンを１ビットずつ入力して保持するフリップフロップを複数備えたフリップフロップ群と、前記パイロットパターンのシンボル位置に応じて、前記フリップフリップ群のいずれかのフリップフロップから前記制御パターンのいずれかのビットを読み出すセレクタと、前記パイロットパターンと前記ビットを入力し、排他的論理和を求め、変換されたパイロットパターンを出力するエクスクルーシブＯＲ回路と、を備えたことを特徴とする。
【発明の効果】
【００１３】
本発明によれば、制御パターンを変更することで、オフセット周波数特性を変更することができるパイロットパターン相関計算方法および回路が提供される。
【００１４】
また、本発明によれば、周波数オフセットにより、制御パターンを切り替えることにより、従来よりも高いオフセット周波数まで対応可能なパイロットパターン相関計算方法および回路が提供される。
【００１５】
また、本発明によれば、きわめて小規模な追加回路によって、パイロットパターン相関計算回路が提供される。
【００１６】
また、本発明によれば、１つの制御パターンで正負のオフセット周波数に同時に対応可能なパイロットパターン相関計算方法および回路が提供される。
【発明を実施するための最良の形態】
【００１７】
本発明の上記および他の目的、特徴および利点を明確にすべく、添付した図面を参照しながら、本発明の実施の形態を以下に詳述する。
【００１８】
図１に本発明によるパイロットパターン相関計算回路の実施例を示す。パイロットパターン変換部１１は本発明に特有の構成であり、パイロットパターン生成部１２から出力されたパイロットパターンを入力し、制御パターンにしたがって、シンボル毎に、反転または保持し、変換後のパイロットパターンを出力する。
【００１９】
パイロットパターン生成部１２は、受信信号中において探索すべきパイロットパターンを出力する。パイロットパターン生成部１２は既知の構成部位であるので、ここでは詳しく述べない。
【００２０】
スクランブルコード生成部１３は受信信号にかけられたスクランブルコードを出力する。スクランブルコード生成部１３も既知の構成部位であるため、ここでは詳しく述べない。
【００２１】
エクスクルーシブＯＲ回路１４はパイロットパターン変換部１１から出力される変換後のパイロットパターンと、スクランブルコード生成部１３から出力されるスクランブルコードのエクスクルーシブＯＲをとり、受信信号と相関を計算するためのリファレンス信号を出力する。
【００２２】
相関計算部１５はエクスクルーシブＯＲ回路１４から出力されたリファレンス信号と受信信号の相関計算およびその累積計算を行い、受信信号とリファレンス信号間の相関値を出力する。相関計算部１５も既知の構成部位であるため、ここでは詳しく述べない。
【００２３】
図２にパイロットパターン変換部１１の実施例を示す。
【００２４】
本実施例では、２０シンボルずつパイロットパターンを変換する例を示している。
【００２５】
フリッププロップ群２１は、制御パターン、すなわち、使用するオフセット周波数域に応じて決まったパターンを保持する。本実施例では、２０シンボル長の制御パターンを格納できるようになっている。パイロットパターンのうち、反転させるシンボルに対しては、１を、反転させないで保持するシンボルに対しては０を設定する。
【００２６】
セレクタ２２は、パイロットパターンのシンボル位置に応じて、フリップフロップ群２１に保持されている制御パターンを、ｃ０→ｃ１→・・・→ｃ１９のように順次読み出す。
【００２７】
エクスクルーシブＯＲ回路２３は、制御パターンにしたがって、入力されたパイロットパターンを反転または保持し、変換後のパイロットパターンを出力する。
【００２８】
次に、上述の実施例の動作について説明する。
【００２９】
図５に示すように、受信信号の信号点は、オフセット周波数によって、位相平面上を回転している。このため、各信号点の相関値もまた、図６に示すように、位相平面上を回転している。このように位相回転した相関値を累積した結果、従来技術による相関計算回路で得られる相関値は、図７に示すようにその絶対値が小さくなってしまっていた。
【００３０】
本発明では、オフセット周波数に応じて選択した制御パターンにより、パイロットパターンをシンボル毎に反転または保持することにより、図８に示すように、各信号点の相関値を位相平面上で反転させている。
【００３１】
図８は、図４に示す制御パターン＃３を用いた例で、最初の７シンボルに相当する相関値を図示している。制御パターン＃３において、ｃ０〜ｃ３は０、ｃ４〜ｃ６は１となっている。したがって、パイロットパターンの最初の４シンボルは保持され、続く３シンボルは反転されている。
【００３２】
図８の信号点毎の相関値を累積計算した値は、図９に示すようになり、信号強度の低下を抑制する効果が得られている。
【００３３】
図３に本発明による相関計算回路のオフセット周波数特性の例を示す。図３は、チップレート３．８４ＭＨｚ、パイロットのシンボルレート１５ｋｂｐｓの例で、制御パターンとして、図４に示す例を使用している。
【００３４】
従来技術による相関計算回路のオフセット周波数特性は、図３の制御パターン＃０の特性を参照すると、−５００Ｈｚ〜＋５００Ｈｚの範囲となっている。
【００３５】
本発明では、周波数オフセットに応じて制御パターンを適宜切り替えることにより、相関計算回路のオフセット周波数特性は、−１５００Ｈｚ〜＋１５００Ｈｚ以上の範囲に広がっていることが分かる。
【００３６】
また、１つの制御パターンのみによって、正負のオフセット周波数帯域に対応しているため、オフセット周波数の符号を考慮する必要がない。
【００３７】
以上説明したように、本発明によれば、以下の効果がある。
【００３８】
第１の効果は、制御パターンを変更することで、パイロットパターン相関計算回路のオフセット周波数特性を変更できることである。
【００３９】
第２の効果は、周波数オフセットにより、制御パターンを切り替えることにより、パイロットパターン相関計算回路を従来よりも高いオフセット周波数まで対応可能としていることである。
【００４０】
第３の効果は、従来の回路に対して、きわめて小規模な回路を追加するのみで、実現されることである。
【００４１】
第４の効果は、図３に示すように、１つの制御パターンで正負のオフセット周波数に同時に対応可能であることである。
【図面の簡単な説明】
【００４２】
【図１】本発明の実施例におけるパイロットパターン相関計算回路を示す図である。
【図２】本発明の実施例におけるパイロットパターン変換部を示す図である。
【図３】本発明の実施例におけるパイロットパターン相関計算回路の周波数特性を示す図である。
【図４】本発明の実施例における制御パターンを示す図である。
【図５】オフセット周波数により、信号点が位相回転することを説明するための図である。
【図６】オフセット周波数により、相関値が位相回転することを説明するための図である。
【図７】オフセット周波数により、累積後の相関値が低下することを説明するための図である。
【図８】本発明の実施例において、オフセット周波数による相関値の位相回転が抑えられることを説明するための図である。
【図９】本発明の実施例において、オフセット周波数による累積後の相関値の低下が抑えられることを説明するための図である。
【図１０】従来の実施例におけるパイロットパターン相関計算回路を示す図である。
【符号の説明】
【００４３】
１１  パイロットパターン変換部
１２、１０２  パイロットパターン生成部
１３、１０３  スクランブルコード生成部
１４、１０４  エクスクルーシブＯＲ回路
１５、１０５  相関計算部
２１  フリッププロップ群
２２  セレクタ
２３  エクスクルーシブＯＲ回路
【図１】
2008167350.tif 000003
【図２】
2008167350.tif 000004
【図３】
2008167350.tif 000005
【図４】
2008167350.tif 000006
【図５】
2008167350.tif 000007
【図６】
2008167350.tif 000008
【図７】
2008167350.tif 000009
【図８】
2008167350.tif 000010
【図９】
2008167350.tif 000011
【図１０】
2008167350.tif 000012